(57)【特許請求の範囲】
【請求項１】
平面形状がほぼ円形状をなして構築された外壁体と、該外壁体上に周方向に沿って複数配置され、かつ各々が該外壁体の円中心である屋根中心に向けて配置される扇形状の固定屋根と、
該固定屋根の縁部に沿って設けられ、前記屋根中心に向けて伸縮可能なガイドと、
前記各固定屋根の上部に積層配置されるとともに、前記屋根中心に向けてカメラの絞りシャッタ状に移動可能であり、かつ、移動時に縁部が前記ガイドによって支持される可動屋根とを備え、
該可動屋根は、複数に分割されて互いに重ね合わせ可能に構成され、
前記各ガイドが伸張されて、前記屋根中心の頂上部で相互に接合された状態で、前記可動屋根が前記各ガイドによって支持されながら、屋根を閉鎖する方向及び開放する方向に移動することを特徴とする開閉式ドーム屋根構造物。
【発明の詳細な説明】
【０００１】
【発明の属する技術分野】
この発明は、屋根開放時における開口面積を大きくした開閉式ドーム屋根構造物に関する。
【０００２】
【従来の技術】
大規模な開閉式ドーム屋根構造物にあっては、一般に、内側に客席などを配置した外壁の上部に、固定屋根の一部を開口するとともにその上部に扇形に旋回する可動屋根を配置し、好天時などにおいて、可動屋根を旋回あるいはスライドさせて屋根の一部を屋外に開放し、屋内の閉塞感を取除くと同時に、外気を積極的に屋内に取入れるようにしている。但し、この種の屋根構造物では、可動屋根を支持する固定屋根の面積が大きく、その開放位置も特定位置のみとなっており、各部均等な開放ができなかった。
【０００３】
これに対し、例えば特公平３−２６７４７号公報に示す屋根開閉式ドームにあっては、可動屋根がその屋根中心よりカメラの絞りシャッタ状に開閉可能な構造としているため、屋根開放時には屋根中心から風車状に均等な開放形状となる。
【０００４】
【発明が解決しようとする課題】
しかしながら、以上の構造物においては、各固定屋根に対して一枚の可動屋根を対応させていたため、各可動屋根を安全かつ安定して支持するためには、どうしても固定屋根の占有する面積を広く取る必要があり、屋根開放時における開放面積を十分に広く取ることはできなかった。
【０００５】
そこで、本発明は、以上の問題を解決するものであって、その目的は、基本的にカメラの絞りシャッタ形状の開閉方式を採用し、従来に比べて全開時における開口面積を広くとれるようにした開閉式ドーム屋根構造物を提供するものである。
【０００６】
【課題を解決するための手段】
以上の目的を達成するため、本発明の請求項１に係る発明は、平面形状がほぼ円形状をなして構築された外壁体と、該外壁体上に周方向に沿って複数配置され、かつ各々が該外壁体の円中心である屋根中心に向けて配置される扇形状の固定屋根と、該固定屋根の縁部に沿って設けられ、前記屋根中心に向けて伸縮可能なガイドと、前記各固定屋根の上部に積層配置されるとともに、前記屋根中心に向けてカメラの絞りシャッタ状に移動可能であり、かつ、移動時に縁部が前記ガイドによって支持される可動屋根とを備え、該可動屋根は、複数に分割されて互いに重ね合わせ可能に構成され、前記各ガイドが伸張されて、前記屋根中心の頂上部で相互に接合された状態で、前記可動屋根が前記各ガイドによって支持されながら、屋根を閉鎖する方向及び開放する方向に移動することを特徴とする。
【０００７】
本発明の開閉式ドーム屋根構造物によれば、好天時などにおいて、各屋根上に可動屋根を乗せておき、天候や時間帯等の必要に応じて可動屋根を屋根中心に向けて伸張させることによって、各可動屋根はカメラの絞りシャッタと同様な形状をなして屋根を全閉する。この状態から逆の動作をなすことにより、屋根が全開する。全開状態において、それぞれの可動屋根は分割されて重ね合わせ可能であるため、開放時の開放面積を広くとることができる。さらに、各ガイドが伸張されて、屋根中心の頂上部で相互に接合された状態で、可動屋根が各ガイドによって支持されながら、屋根を閉鎖する方向及び開放する方向に移動することになるので、安定性及び安全性を高めることができる。
【０００９】
【発明の実施の形態】
以下、この発明の好ましい実施の形態につき、添付図面を参照して詳細に説明する。
【００１０】
図１，図２は、この発明にかかる可動式ドーム屋根構造物を示し、同図における構造物は、サッカー競技場などに適用した場合を例示しており、平面形状が円形を結んで構築された五つの外壁体１及び外壁体１間に構築された内外多数の柱列の内側に複数の観客席スタンド２を略楕円形状に配置し、観客席スタンド２ですり鉢状に囲われた内側底面をサッカー競技場面３としている。
【００１１】
さらに、各壁体１の上部を結んでその円中心である屋根中心に向けて所定の勾配で立上がる五つの固定屋根４が固定配置され、この各固定屋根４上には開口部中間面を覆う中間可動屋根５がその屋根中心に向けて移動可能に積層配置されているとともに、中間可動屋根５上には、上部可動屋根６が同じくその屋根中心に向けて移動可能に積層配置されている。
【００１２】
各固定屋根４の縁部にはこの円弧面に沿って固定ガイド７が設けられ、この固定ガイド７の内側には前記中間可動屋根５の縁部を支持するとともに、固定ガイド７の内側に沿ってテレスコピック状に伸縮する中間可動ガイド８が配置され、さらに中間可動ガイド８の内側には前記上部可動屋根６を支持するとともに、中間可動ガイド８の内側に沿ってテレスコピック状に伸縮可能な上部可動ガイド９が配置されている。
【００１３】
これら各ガイド７，８，９は、図５に詳細に示すように、断面略コ字状をなして互いに摺動可能に係合される鉄骨骨組構造体からなるものであって、図１に示すように、それぞれの長さをＬ1 , Ｌ2 , Ｌ3 とした場合の、最大伸張時において互いの重複寸法Ｔ1 ，Ｔ2 を十分な長さ確保することにより、伸張時における各可動屋根５、６を安定、かつ安全な状態に保持できるようにしているほか、図示省略するが、絞りシャッタ状に閉じた状態で各上部可動屋根６同士が互いに接合することによって、一体構造の屋根となり、安定性ないし安全性を向上させるための機構が採用されている。
【００１４】
図３（ａ）〜（ｃ）は以上の構造物の全閉から全開までの形態を示すものであり、（ａ）では全ての可動屋根５、６が絞りシャッタ状に閉じ、これにより構造物内部を完全な閉鎖空間とし、全天候での使用が可能となる。テレスコピック状のガイド７，８，９は伸張状態となっているが、同図では、その図示が省略されている。
【００１５】
そして、同図（ｂ）は、ガイドに沿って上部可動屋根６のみを下降させ中間可動屋根５の下部に重ね合わせた状態を示し、これにより、中間状態の開口面積が得られる。（ｃ）では、この状態からさらに上部可動屋根６および中間可動屋根５を下降させて固定屋根４の下部に重ね合わせた状態を示している。これら（ｂ）または（ｃ）の場合では、西日などを遮り、試合をベストコンディションで行えるようにする場合などに用いられる。
【００１６】
同図（ｄ）では、可動屋根５，６を全開した状態を示し、これによって競技上面３、及び客席の大半が外部に開放されることになる。なお、可動屋根５，６が開放された状態で各ガイド７，８，９は、縮退される。
【００１７】
上記したように、可動屋根５，６を開放する際には、テレスコピック状のガイド７，８，９がまず伸張し、可動屋根５，６がこれらにガイドされるので開放動作が安定し、安全性も高まる。一方、図３（ｄ）の全開状態から可動屋根５，６を閉鎖する際には、まずガイド７，８，９を伸張し、頂上部にて相互に接合した後、これに沿って順次可動屋根５，６を上昇させる。したがって、閉鎖時には、ガイドが最後まで残ることになる。
【００１８】
図４は、その全開状態での構造物全体のフォルムを示すもので、五つの屋根４（５、６を含む）が外壁体１に連続して所定勾配でせり上がる壁状の構造体としての新規な外観を有することになる。
【００１９】
【発明の効果】
以上の説明により明らかなように、本発明の開閉式ドーム屋根構造物によれば、可動屋根が分割されて重ね合わせ可能であるため、開放時の開口面積を広く取ることができる利点がある。また、各ガイドが伸張されて、屋根中心の頂上部で相互に接合された状態で、可動屋根が各ガイドによって支持されながら、屋根を閉鎖する方向及び開放する方向に移動することになるので、安定性及び安全性を高めることができる。
【図面の簡単な説明】
【図１】本発明にかかる開閉式ドーム屋根構造物の断面図である。
【図２】同開閉式ドーム屋根構造物の平面説明図である。
【図３】（ａ）〜（ｄ）は同ドーム屋根構造物における全閉から全開状態までの過程を示す平面説明図である。
【図４】同全開状態における姿図である。
【図５】同構造物のガイドレールを示す断面図である。
【符号の説明】
１  外壁体
４  固定屋根
５  中間可動屋根
６  上部可動屋根
７，８，９  ガイド
【図１】
0003752730.tif 000002
【図２】
0003752730.tif 000003
【図３】
0003752730.tif 000004
【図４】
0003752730.tif 000005
【図５】
0003752730.tif 000006